【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
遊技者によって特定操作が行われる特定操作手段と、
始動口への遊技球の受け入れに基づいて乱数を取得する乱数取得手段と、
前記乱数取得手段により取得される乱数に基づいて、大当たり判定処理を行う大当たり判定手段と、
前記大当たり判定手段による大当たり判定処理の結果が大当たりであることに基づいて、遊技者に特典が付与される大当たり遊技を行う大当たり遊技実行手段と、
前記乱数取得手段により乱数が取得された場合、該取得された乱数に応じた前記大当たり判定手段による大当たり判定処理をその実行条件が成立するまで待機させて保留状態にする遊技保留手段と、
前記大当たり判定処理にかかる実行条件が成立してその保留状態が解除された場合、図柄変動にかかる制御を行う変動表示制御手段と、
前記遊技保留手段により保留状態とされる大当たり判定処理についての大当たり期待度をその実行条件が成立するよりも前に示す特定態様を出現させる特定先行演出についての演出判定を行う先行演出判定手段と、
前記先行演出判定手段による演出判定にて第１の判定結果が得られた場合、前記特定先行演出の対象とされる前記大当たり判定処理の保留表示タイミングで特操画像表示を出現させうる特操画像表示手段と、
前記特操画像表示手段による特操画像表示が出現しているなかで前記特定操作手段に対する前記特定操作を受け付けた場合、前記特定先行演出の実行にかかる制御を行いうる第１の先行演出制御手段と
前記先行演出判定手段による演出判定にて第２の判定結果が得られた場合、前記特定操作手段に対する前記特定操作を受け付けることなく、所定の演出タイミングで前記特定先行演出の実行にかかる制御を行いうる第２の先行演出制御手段と
を備え、
前記特操画像表示手段は、
前記特定先行演出の対象とされる前記大当たり判定処理よりも消化順序が先とされる大当たり判定処理が複数存在している場合、前記特操画像表示を、該複数存在している大当たり判定処理に応じた複数回の図柄変動で、前記特定先行演出の対象とされる前記大当たり判定処理がいずれであるかを特定して出現させうる制御を実行可能な複数変動特定操促表示手段
を有しており、
前記第１の先行演出制御手段は、
前記特操画像表示が出現される前記複数回の図柄変動が未だ消化し終わっていない期間内にあるにもかかわらず、前記特定操作手段に対して前記特定操作が行われたとしてもこれを受け付けないようにする制御を実行可能な非受付制御手段を有しており、
前記第１の先行演出制御手段による制御によって前記特定先行演出が行われるときと、前記第２の先行演出制御手段による制御によって前記特定先行演出が行われるときとで、前記特定態様としていずれも特別の態様が現れうるものであって、
さらに、
前記特操画像表示手段による特操画像表示が出現している状態においては、前記特操画像表示手段によって特操画像表示が新たに出現されることがないように制御されうる
ことを特徴とする遊技機。
【請求項２】
遊技者によって特定操作が行われる特定操作手段と、
始動口への遊技球の受け入れに基づいて乱数を取得する乱数取得手段と、
前記乱数取得手段により取得される乱数に基づいて、大当たり判定処理を行う大当たり判定手段と、
前記大当たり判定手段による大当たり判定処理の結果が大当たりであることに基づいて、遊技者に特典が付与される大当たり遊技を行う大当たり遊技実行手段と、
前記乱数取得手段により乱数が取得された場合、該取得された乱数に応じた前記大当たり判定手段による大当たり判定処理をその実行条件が成立するまで待機させて保留状態にする遊技保留手段と、
前記大当たり判定処理にかかる実行条件が成立してその保留状態が解除された場合、図柄変動にかかる制御を行う変動表示制御手段と、
前記遊技保留手段により保留状態とされる大当たり判定処理についての大当たり期待度をその実行条件が成立するよりも前に示す特定態様を出現させる特定先行演出についての演出判定を行う先行演出判定手段と、
前記先行演出判定手段による演出判定にて第１の判定結果が得られた場合、前記特定先行演出の対象とされる前記大当たり判定処理の保留表示タイミングで特操画像表示を出現させうる特操画像表示手段と、
前記特操画像表示手段による特操画像表示が出現しているなかで前記特定操作手段に対する前記特定操作を受け付けた場合、前記特定先行演出の実行にかかる制御を行いうる第１の先行演出制御手段と
前記先行演出判定手段による演出判定にて第２の判定結果が得られた場合、前記特定操作手段に対する前記特定操作を受け付けることなく、所定の演出タイミングで前記特定先行演出の実行にかかる制御を行いうる第２の先行演出制御手段と
を備え、
前記特操画像表示手段は、
前記特定先行演出の対象とされる前記大当たり判定処理よりも消化順序が先とされる大当たり判定処理が複数存在している場合、前記特操画像表示を、該複数存在している大当たり判定処理に応じた複数回の図柄変動で、前記特定先行演出の対象とされる前記大当たり判定処理がいずれであるかを秘匿にして出現させうる制御を実行可能な複数変動秘匿操促表示手段
を有しており、
前記第１の先行演出制御手段は、
前記特操画像表示が出現される前記複数回の図柄変動が未だ消化し終わっていない期間内にあるにもかかわらず、前記特定操作手段に対して前記特定操作が行われたとしてもこれを受け付けないようにする制御を実行可能な非受付制御手段を有しており、
前記第１の先行演出制御手段による制御によって前記特定先行演出が行われるときと、前記第２の先行演出制御手段による制御によって前記特定先行演出が行われるときとで、前記特定態様としていずれも特別の態様が現れうるものであって、
さらに、
前記特操画像表示手段による特操画像表示が出現している状態においては、前記特操画像表示手段によって特操画像表示が新たに出現されることがないように制御されうる
ことを特徴とする遊技機。
【請求項３】
前記特操画像表示手段は、前記非受付制御手段による制御が行われる期間にあるときと前記非受付制御手段による制御が行われない期間にあるときとで表示態様が異なるように前記特操画像表示を出現させうる
請求項１または２に記載の遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１７
【補正方法】変更
【補正の内容】
【００１７】
しかしながら、従来のパチンコ機では、遊技に対する興趣が低下するおそれがあった。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
そこで、本発明は、遊技に対する興趣の低下を抑制することを目的とする。
【手続補正１５】
【補正対象書類名】明細書
【補正対象項目名】００２１
【補正方法】変更
【補正の内容】
【００２１】
［構成］
遊技者によって特定操作が行われる特定操作手段と、
始動口への遊技球の受け入れに基づいて乱数を取得する乱数取得手段と、
前記乱数取得手段により取得される乱数に基づいて、大当たり判定処理を行う大当たり判定手段と、
前記大当たり判定手段による大当たり判定処理の結果が大当たりであることに基づいて、遊技者に特典が付与される大当たり遊技を行う大当たり遊技実行手段と、
前記乱数取得手段により乱数が取得された場合、該取得された乱数に応じた前記大当たり判定手段による大当たり判定処理をその実行条件が成立するまで待機させて保留状態にする遊技保留手段と、
前記大当たり判定処理にかかる実行条件が成立してその保留状態が解除された場合、図柄変動にかかる制御を行う変動表示制御手段と、
前記遊技保留手段により保留状態とされる大当たり判定処理についての大当たり期待度をその実行条件が成立するよりも前に示す特定態様を出現させる特定先行演出についての演出判定を行う先行演出判定手段と、
前記先行演出判定手段による演出判定にて第１の判定結果が得られた場合、前記特定先行演出の対象とされる前記大当たり判定処理の保留表示タイミングで特操画像表示を出現させうる特操画像表示手段と、
前記特操画像表示手段による特操画像表示が出現しているなかで前記特定操作手段に対する前記特定操作を受け付けた場合、前記特定先行演出の実行にかかる制御を行いうる第１の先行演出制御手段と
前記先行演出判定手段による演出判定にて第２の判定結果が得られた場合、前記特定操作手段に対する前記特定操作を受け付けることなく、所定の演出タイミングで前記特定先行演出の実行にかかる制御を行いうる第２の先行演出制御手段と
を備え、
前記特操画像表示手段は、
前記特定先行演出の対象とされる前記大当たり判定処理よりも消化順序が先とされる大当たり判定処理が複数存在している場合、前記特操画像表示を、該複数存在している大当たり判定処理に応じた複数回の図柄変動で、前記特定先行演出の対象とされる前記大当たり判定処理がいずれであるかを特定して出現させうる制御を実行可能な複数変動特定操促表示手段
を有しており、
前記第１の先行演出制御手段は、
前記特操画像表示が出現される前記複数回の図柄変動が未だ消化し終わっていない期間内にあるにもかかわらず、前記特定操作手段に対して前記特定操作が行われたとしてもこれを受け付けないようにする制御を実行可能な非受付制御手段を有しており、
前記第１の先行演出制御手段による制御によって前記特定先行演出が行われるときと、前記第２の先行演出制御手段による制御によって前記特定先行演出が行われるときとで、前記特定態様としていずれも特別の態様が現れうるものであって、
さらに、
前記特操画像表示手段による特操画像表示が出現している状態においては、前記特操画像表示手段によって特操画像表示が新たに出現されることがないように制御されうる
ことを特徴とする遊技機。
【手続補正１６】
【補正対象書類名】明細書
【補正対象項目名】００２２
【補正方法】変更
【補正の内容】
【００２２】
本発明によれば、遊技に対する興趣の低下を抑制することができる。